(57)【要約】【課題】実際の運用環境を考慮してリレーノードに対する規制を行う。【解決手段】本発明に係る移動通信方法は、無線基地局ＤｅＮＢが、「ＲＲＣ  Ｃｏｎｎｅｃｔｉｏｎ  Ｒｅｑｕｅｓｔ」の送信元についての判定を行う工程Ａと、無線基地局ＤｅＮＢが、送信元がリレーノードである「ＲＲＣ  Ｃｏｎｎｅｃｔｉｏｎ  Ｒｅｑｕｅｓｔ」を受け付け、送信元が移動局である「ＲＲＣ  Ｃｏｎｎｅｃｔｉｏｎ  Ｒｅｑｕｅｓｔ」を、規制制御に基づき、受け付ける若しくは拒絶する工程Ｂとを有する。【選択図】図６
2011004375.tif 000002
【特許請求の範囲】
【請求項１】
無線基地局が、該無線基地局との間のコネクションの設定を要求するためのコネクション設定要求信号の送信元についての判定を行う工程Ａと、
前記無線基地局が、送信元がリレーノードであるコネクション設定要求信号を受け付け、送信元が移動局であるコネクション設定要求信号を、規制制御に基づき、受け付ける若しくは拒絶する工程Ｂとを有することを特徴とする移動通信方法。
【請求項２】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記工程Ａにおいて、前記無線基地局は、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、前記判定を行うことを特徴とする請求項１に記載の移動通信方法。
【請求項３】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記工程Ａにおいて、前記無線基地局は、「ＲＲＣ  Ｃｏｎｎｅｃｔｉｏｎ  Ｒｅｑｕｅｓｔ」内に設定されている所定フラグに基づいて、前記判定を行うことを特徴とする請求項１に記載の移動通信方法。
【請求項４】
無線基地局が、該無線基地局との間のコネクションの設定を要求するためのコネクション設定要求信号の送信元についての判定を行う工程Ａと、
前記無線基地局が、送信元がリレーノードであるコネクション設定要求信号を受け付ける工程Ｂと、
リレーノードが、該リレーノードとの間のコネクションの設定を要求するためのコネクション設定要求信号の送信元についての判定を行う工程Ｃと、
前記リレーノードが、送信元がリレーノードであるコネクション設定要求信号を拒絶する工程Ｄとを有することを特徴とする移動通信方法。
【請求項５】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記工程Ａ及び前記工程Ｃにおいて、前記無線基地局及び前記リレーノードは、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、前記判定を行うことを特徴とする請求項４に記載の移動通信方法。
【請求項６】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記工程Ａ及び前記工程Ｃにおいて、前記無線基地局及び前記リレーノードは、「ＲＲＣ  Ｃｏｎｎｅｃｔｉｏｎ  Ｒｅｑｕｅｓｔ」内に設定されている所定フラグに基づいて、前記判定を行うことを特徴とする請求項４に記載の移動通信方法。
【請求項７】
無線基地局であって、
前記無線基地局との間のコネクションの設定を要求するためのコネクション設定要求信号の送信元についての判定を行うように構成されている受付制御部を具備し、
前記受付制御部は、送信元がリレーノードであるコネクション設定要求信号を受け付け、送信元が移動局であるコネクション設定要求信号を、規制制御に基づき、受け付ける若しくは拒絶するように構成されていることを特徴とする無線基地局。
【請求項８】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記受付制御部は、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、前記判定を行うように構成されていることを特徴とする請求項７に記載の無線基地局。
【請求項９】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記受付制御部は、「ＲＲＣ  Ｃｏｎｎｅｃｔｉｏｎ  Ｒｅｑｕｅｓｔ」内に設定されている所定フラグに基づいて、前記判定を行うように構成されていることを特徴とする請求項７に記載の無線基地局。
【請求項１０】
リレーノードであって、
前記リレーノードとの間のコネクションの設定を要求するためのコネクション設定要求信号の送信元についての判定を行うように構成されている受付制御部を具備し、
前記受付制御部は、送信元がリレーノードであるコネクション設定要求信号を拒絶するように構成されていることを特徴とするリレーノード。
【請求項１１】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記受付制御部は、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、前記判定を行うように構成されていることを特徴とする請求項１０に記載のリレーノード。
【請求項１２】
前記コネクションは、ＲＲＣコネクションであり、
前記コネクション設定要求信号は、「ＲＲＣ  Ｃｏｎｎｅｃｔｉｏｎ  Ｒｅｑｕｅｓｔ」であり、
前記受付制御部は、「ＲＲＣ  Ｃｏｎｎｅｃｔｉｏｎ  Ｒｅｑｕｅｓｔ」内に設定されている所定フラグに基づいて、前記判定を行うように構成されていることを特徴とする請求項１０に記載のリレーノード。
【発明の詳細な説明】
【技術分野】
【０００１】
本発明は、移動通信方法、無線基地局及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、ＬＴＥ-Ａｄｖａｎｃｅｄ方式の移動通信システムでは、かかるリレーノードＲＮに対する規制をどのように行うべきかについて規定されていないという問題点があった。
【０００６】
そこで、本発明は、上述の課題に鑑みてなされたものであり、実際の運用環境を考慮してリレーノードに対する規制を行うことができる移動通信方法、無線基地局及びリレーノードを提供することを目的とする。
【課題を解決するための手段】
【０００７】
本発明の第１の特徴は、移動通信方法であって、無線基地局が、該無線基地局との間のコネクションの設定を要求するためのコネクション設定要求信号の送信元についての判定を行う工程Ａと、前記無線基地局が、送信元がリレーノードであるコネクション設定要求信号を受け付け、送信元が移動局であるコネクション設定要求信号を、規制制御に基づき、受け付ける若しくは拒絶する工程Ｂとを有することを要旨とする。
【０００８】
本発明の第２の特徴は、移動通信方法であって、無線基地局が、該無線基地局との間のコネクションの設定を要求するためのコネクション設定要求信号の送信元についての判定を行う工程Ａと、前記無線基地局が、送信元がリレーノードであるコネクション設定要求信号を受け付ける工程Ｂと、リレーノードが、該リレーノードとの間のコネクションの設定を要求するためのコネクション設定要求信号の送信元についての判定を行う工程Ｃと、前記リレーノードが、送信元がリレーノードであるコネクション設定要求信号を拒絶する工程Ｄとを有することを要旨とする。
【０００９】
本発明の第３の特徴は、無線基地局であって、前記無線基地局との間のコネクションの設定を要求するためのコネクション設定要求信号の送信元についての判定を行うように構成されている受付制御部を具備し、前記受付制御部は、送信元がリレーノードであるコネクション設定要求信号を受け付け、送信元が移動局であるコネクション設定要求信号を、規制制御に基づき、受け付ける若しくは拒絶するように構成されていることを要旨とする。
【００１０】
本発明の第４の特徴は、リレーノードであって、前記リレーノードとの間のコネクションの設定を要求するためのコネクション設定要求信号の送信元についての判定を行うように構成されている受付制御部を具備し、前記受付制御部は、送信元がリレーノードであるコネクション設定要求信号を拒絶するように構成されていることを要旨とする。
【発明の効果】
【００１１】
以上説明したように、本発明によれば、実際の運用環境を考慮してリレーノードに対する規制を行うことができる移動通信方法、無線基地局及びリレーノードを提供することができる。
【図面の簡単な説明】
【００１２】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムにおける「ＲＲＣ  Ｃｏｎｎｅｃｔｉｏｎ  Ｒｅｑｕｅｓｔ」のフォーマットの一例を示す図である。
【図４】本発明の第１の実施形態に係る無線基地局の機能ブロック図である。
【図５】本発明の第１の実施形態に係る移動通信システムの動作を説明するための図である。
【図６】本発明の第１の実施形態に係る無線基地局の動作を示すフローチャートである。
【図７】本発明の第１の実施形態に係る移動通信システムの動作を説明するための図である。
【図８】本発明の第１の実施形態に係るリレーノードの動作を示すフローチャートである。
【発明を実施するための形態】
【００１３】
（本発明の第１の実施形態に係る移動通信システムの構成）
図１乃至図４を参照して、本発明の第１の実施形態に係る移動通信システムの構成について説明する。
【００１４】
図１に示すように、本実施形態に係る移動通信システムは、ＬＴＥ-Ａｄｖａｎｃｅｄ方式の移動通信システムであって、コアネットワークノード内のコアノード（例えば、ゲートウェイ装置Ｓ-ＧＷや交換局ＭＭＥ等）や、無線基地局ＤｅＮＢや、リレーノードＲＮ等を具備している。
【００１５】
ここで、本実施形態に係る移動通信システムでは、無線基地局ＤｅＮＢと移動局ＵＥ＃２との間で、Ｕｕ無線ベアラが設定可能であり、無線基地局ＤｅＮＢとリレーノードＲＮとの間で、Ｕｎ無線ベアラが設定可能であり、リレーノードＲＮと移動局ＵＥ＃１との間で、Ｕｕ無線ベアラが設定可能である。
【００１６】
図２に示すように、リレーノードＲＮは、受信部１１と、受付制御部１２と、送信部１３とを具備している。
【００１７】
受信部１１は、無線基地局ＤｅＮＢや他のリレーノードＲＮや移動局ＵＥによって送信された信号を受信するように構成されている。
【００１８】
送信部１３は、無線基地局ＤｅＮＢや他のリレーノードＲＮや移動局ＵＥに対して信号を送信するように構成されている。
【００１９】
受付制御部１２は、受信部１１によって受信された「ＲＲＣ  Ｃｏｎｎｅｃｔｉｏｎ  Ｒｅｑｕｅｓｔ」の送信元についての判定を行うように構成されている。
【００２０】
具体的には、受付制御部１２は、図３に示す「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容（例えば、図３に示す「ｓｐａｒｅ３（Ｘ）」）に基づいて、上述の判定を行うように構成されていてもよい。
【００２１】
また、受付制御部１２は、図３に示す「ＲＲＣ  Ｃｏｎｎｅｃｔｉｏｎ  Ｒｅｑｕｅｓｔ」内に設定されている所定フラグに基づいて、上述の判定を行うように構成されていてもよい。
【００２２】
例えば、受付制御部１２は、送信元がリレーノードである「ＲＲＣ  Ｃｏｎｎｅｃｔｉｏｎ  Ｒｅｑｕｅｓｔ（コネクション設定要求信号）」を拒絶するように構成されていてもよい。
【００２３】
すなわち、受付制御部１２は、上述の情報要素「ＥｓｔａｂｌｉｓｈｍｅｎｔＣａｕｓｅ」に「ｒｎ-Ｓｅｔｕｐ」が設定されている「ＲＲＣ  Ｃｏｎｎｅｃｔｉｏｎ  Ｒｅｑｕｅｓｔ」、或いは、上述の所定フラグに「ＲＮ」に対応するビットが設定されている「ＲＲＣ  Ｃｏｎｎｅｃｔｉｏｎ  Ｒｅｑｕｅｓｔ」を拒絶するように構成されていてもよい。
【００２４】
ここで、受付制御部１２は、通常時は、送信元がリレーノードである「ＲＲＣ  Ｃｏｎｎｅｃｔｉｏｎ  Ｒｅｑｕｅｓｔ」を拒絶し、緊急時は、送信元がリレーノードである「ＲＲＣ  Ｃｏｎｎｅｃｔｉｏｎ  Ｒｅｑｕｅｓｔ」についても受け付けるように構成されていてもよい。
【００２５】
また、受付制御部１２は、発信規制が行われていない場合には、送信元が移動局である「ＲＲＣ  Ｃｏｎｎｅｃｔｉｏｎ  Ｒｅｑｕｅｓｔ」を受け付けるように構成されていてもよい。
【００２６】
すなわち、受付制御部１２は、上述の情報要素「ＥｓｔａｂｌｉｓｈｍｅｎｔＣａｕｓｅ」に移動局ＵＥ用の値（例えば、「ｍｏ-Ｓｉｇｎａｌｌｉｎｇ」、「ｍｏ-Ｄａｔａ」）が設定されている「ＲＲＣ  Ｃｏｎｎｅｃｔｉｏｎ  Ｒｅｑｕｅｓｔ」、或いは、上述の所定フラグに「ＵＥ」に対応するビットが設定されている「ＲＲＣ  Ｃｏｎｎｅｃｔｉｏｎ  Ｒｅｑｕｅｓｔ」を受け付けるように構成されていてもよい。
【００２７】
ここで、受付制御部１２が、「ＲＲＣ  Ｃｏｎｎｅｃｔｉｏｎ  Ｒｅｑｕｅｓｔ」を拒絶した場合、送信部１３は、「ＲＲＣ  Ｃｏｎｎｅｃｔｉｏｎ  Ｒｅｊｅｃｔ」によって、かかる「ＲＲＣ  Ｃｏｎｎｅｃｔｉｏｎ  Ｒｅｑｕｅｓｔ」の送信元のリレーノードＲＮに対して、所定タイマ（例えば、Ｔ３０２）が満了した後の当該リレーノードＲＮに対する「ＲＲＣ  Ｃｏｎｎｅｃｔｉｏｎ  Ｒｅｑｕｅｓｔ」の再送を禁止するように指示してもよい。
【００２８】
また、送信部１３は、リレーノードＲＮの起動時に、上述の情報要素「ＥｓｔａｂｌｉｓｈｍｅｎｔＣａｕｓｅ」に「ｒｎ-Ｓｅｔｕｐ」を設定した「ＲＲＣ  Ｃｏｎｎｅｃｔｉｏｎ  Ｒｅｑｕｅｓｔ」、或いは、上述の所定フラグに「ＲＮ」に対応するビットを設定した「ＲＲＣ  Ｃｏｎｎｅｃｔｉｏｎ  Ｒｅｑｕｅｓｔ」を送信するように構成されていてもよい。
【００２９】
ただし、受信部１１が、上述の「ＲＲＣ  Ｃｏｎｎｅｃｔｉｏｎ  Ｒｅｑｕｅｓｔ」の再送の禁止を指示している「ＲＲＣ  Ｃｏｎｎｅｃｔｉｏｎ  Ｒｅｑｕｅｓｔ」を受信した場合、送信部１３は、「ＲＲＣ  Ｃｏｎｎｅｃｔｉｏｎ  Ｒｅｑｕｅｓｔ」の送信元のリレーノードＲＮに対して、「ＲＲＣ  Ｃｏｎｎｅｃｔｉｏｎ  Ｒｅｑｕｅｓｔ」を再送しないように構成されている。
【００３０】
図４に示すように、無線基地局ＤｅＮＢは、受信部２１と、受付制御部２２と、送信部２３とを具備している。
【００３１】
受信部２１は、他の無線基地局ＤｅＮＢやリレーノードＲＮや移動局ＵＥによって送信された信号を受信するように構成されている。
【００３２】
送信部２３は、他の無線基地局ＤｅＮＢやリレーノードＲＮや移動局ＵＥに対して信号を送信するように構成されている。
【００３３】
受付制御部２２は、受信部２１によって受信された「ＲＲＣ  Ｃｏｎｎｅｃｔｉｏｎ  Ｒｅｑｕｅｓｔ」の送信元についての判定を行うように構成されている。
【００３４】
具体的には、受付制御部２２は、図３に示す「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容（例えば、図３に示す「ｓｐａｒｅ３（Ｘ）」）に基づいて、上述の判定を行うように構成されていてもよい。
【００３５】
また、受付制御部２２は、図３に示す「ＲＲＣ  Ｃｏｎｎｅｃｔｉｏｎ  Ｒｅｑｕｅｓｔ」内に設定されている所定フラグに基づいて、上述の判定を行うように構成されていてもよい。
【００３６】
例えば、受付制御部２２は、送信元がリレーノードである「ＲＲＣ  Ｃｏｎｎｅｃｔｉｏｎ  Ｒｅｑｕｅｓｔ」を受け付け、送信元が移動局である「ＲＲＣ  Ｃｏｎｎｅｃｔｉｏｎ  Ｒｅｑｕｅｓｔ」を、規制制御に基づき、受け付ける若しくは拒絶するように構成されていてもよい。
【００３７】
すなわち、受付制御部２２は、上述の情報要素「ＥｓｔａｂｌｉｓｈｍｅｎｔＣａｕｓｅ」に「ｒｎ-Ｓｅｔｕｐ」が設定されている「ＲＲＣ  Ｃｏｎｎｅｃｔｉｏｎ  Ｒｅｑｕｅｓｔ」、或いは、上述の所定フラグに「ＲＮ」に対応するビットが設定されている「ＲＲＣ  Ｃｏｎｎｅｃｔｉｏｎ  Ｒｅｑｕｅｓｔ」を受け付けるように構成されていてもよい。
【００３８】
一方、受付制御部２２は、上述の情報要素「ＥｓｔａｂｌｉｓｈｍｅｎｔＣａｕｓｅ」に移動局ＵＥ用の値（例えば、「ｍｏ-Ｓｉｇｎａｌｌｉｎｇ」、「ｍｏ-Ｄａｔａ」）が設定されている「ＲＲＣ  Ｃｏｎｎｅｃｔｉｏｎ  Ｒｅｑｕｅｓｔ」、或いは、上述の所定フラグに「ＵＥ」に対応するビットが設定されている「ＲＲＣ  Ｃｏｎｎｅｃｔｉｏｎ  Ｒｅｑｕｅｓｔ」を、規制制御に基づき、受け付ける若しくは拒絶するように構成されていてもよい。
【００３９】
また、受付制御部２２は、発信規制が行われていない場合には、送信元がリレーノードである「ＲＲＣ  Ｃｏｎｎｅｃｔｉｏｎ  Ｒｅｑｕｅｓｔ」及び送信元が移動局である「ＲＲＣ  Ｃｏｎｎｅｃｔｉｏｎ  Ｒｅｑｕｅｓｔ」の両者を受け付けるように構成されていてもよい。
【００４０】
一方、受付制御部２２は、発信規制が行われている場合には、送信元がリレーノードである「ＲＲＣ  Ｃｏｎｎｅｃｔｉｏｎ  Ｒｅｑｕｅｓｔ」のみを受け付け、送信元が移動局である「ＲＲＣ  Ｃｏｎｎｅｃｔｉｏｎ  Ｒｅｑｕｅｓｔ」を、規制制御に基づき、受け付ける若しくは拒絶するように構成されていてもよい。
【００４１】
ここで、受付制御部２２が、「ＲＲＣ  Ｃｏｎｎｅｃｔｉｏｎ  Ｒｅｑｕｅｓｔ」を拒絶した場合、送信部１３は、「ＲＲＣ  Ｃｏｎｎｅｃｔｉｏｎ  Ｒｅｊｅｃｔ」によって、かかる「ＲＲＣ  Ｃｏｎｎｅｃｔｉｏｎ  Ｒｅｑｕｅｓｔ」の送信元の移動局ＵＥに対して、所定タイマ（例えば、Ｔ３０２）が満了した後の当該無線基地局ＤｅＮＢに対する「ＲＲＣ  Ｃｏｎｎｅｃｔｉｏｎ  Ｒｅｑｕｅｓｔ」の再送を禁止するように指示してもよい。
【００４２】
（本発明の第１の実施形態に係る移動通信システムの動作）
図５乃至図８を参照して、本発明の第１の実施形態に係る移動通信システムの動作について説明する。
【００４３】
第１に、図５及び図６を参照して、災害対策用等としてリレーノードＲＮが設置されたケース（ケース１）における本発明の第１の実施形態に係る移動通信システムの動作について説明する。
【００４４】
ケース１では、図５に示すように、移動局ＵＥに対して発信規制が行われている場合であっても、リレーノードＲＮは、必ず無線基地局ＤｅＮＢに接続できるように構成されているものとする。
【００４５】
図６に示すように、無線基地局ＤｅＮＢは、ステップＳ１０１において、「ＲＲＣ  Ｃｏｎｎｅｃｔｉｏｎ  Ｒｅｑｕｅｓｔ」を受信すると、ステップＳ１０２において、かかる「ＲＲＣ  Ｃｏｎｎｅｃｔｉｏｎ  Ｒｅｑｕｅｓｔ」の送信元が「リレーノード」であるか「移動局」であるかについて判定する。
【００４６】
無線基地局ＤｅＮＢは、「ＲＲＣ  Ｃｏｎｎｅｃｔｉｏｎ  Ｒｅｑｕｅｓｔ」の送信元が「リレーノード」であると判定した場合、ステップＳ１０３において、かかる「ＲＲＣ  Ｃｏｎｎｅｃｔｉｏｎ  Ｒｅｑｕｅｓｔ」を受け付け、かかる「ＲＲＣ  Ｃｏｎｎｅｃｔｉｏｎ  Ｒｅｑｕｅｓｔ」の送信元のリレーノードＲＮとの間でＲＲＣコネクションを確立する。
【００４７】
一方、無線基地局ＤｅＮＢは、「ＲＲＣ  Ｃｏｎｎｅｃｔｉｏｎ  Ｒｅｑｕｅｓｔ」の送信元が「移動局」であると判定した場合、ステップＳ１０４において、かかる「ＲＲＣ  Ｃｏｎｎｅｃｔｉｏｎ  Ｒｅｑｕｅｓｔ」を、規制制御に基づき、受け付ける若しくは拒絶する。
【００４８】
ただし、無線基地局ＤｅＮＢは、「ＲＲＣ  Ｃｏｎｎｅｃｔｉｏｎ  Ｒｅｑｕｅｓｔ」の送信元が「移動局」であると判定した場合であっても、移動局ＵＥに対する発信規制が行われていない場合には、かかる「ＲＲＣ  Ｃｏｎｎｅｃｔｉｏｎ  Ｒｅｑｕｅｓｔ」を受け付けるものとする。
【００４９】
第２に、図７及び図８を参照して、複数のリレーノードＲＮが接続されること、すなわち、リレーノードＲＮのマルチホップを禁止されているケース（ケース２）における本発明の第１の実施形態に係る移動通信システムの動作について説明する。
【００５０】
ケース２では、図７に示すように、リレーノードＲＮは、無線基地局ＤｅＮＢと接続できる一方、他のリレーノードＲＮとは接続できないように構成されているものとする。また、ケース２では、移動局ＵＥに対する発信規制が行われていないものとする。
【００５１】
図８に示すように、リレーノードＲＮは、ステップＳ２０１において、「ＲＲＣ  Ｃｏｎｎｅｃｔｉｏｎ  Ｒｅｑｕｅｓｔ」を受信すると、ステップＳ２０２において、かかる「ＲＲＣ  Ｃｏｎｎｅｃｔｉｏｎ  Ｒｅｑｕｅｓｔ」の送信元が「リレーノード」であるか「移動局」であるかについて判定する。
【００５２】
リレーノードＲＮは、「ＲＲＣ  Ｃｏｎｎｅｃｔｉｏｎ  Ｒｅｑｕｅｓｔ」の送信元が「移動局」であると判定した場合、ステップＳ２０３において、かかる「ＲＲＣ  Ｃｏｎｎｅｃｔｉｏｎ  Ｒｅｑｕｅｓｔ」を受け付け、かかる「ＲＲＣ  Ｃｏｎｎｅｃｔｉｏｎ  Ｒｅｑｕｅｓｔ」の送信元の移動局ＵＥとの間でＲＲＣコネクションを確立する。
【００５３】
一方、リレーノードＲＮは、「ＲＲＣ  Ｃｏｎｎｅｃｔｉｏｎ  Ｒｅｑｕｅｓｔ」の送信元が「リレーノード」であると判定した場合、ステップＳ２０４において、かかる「ＲＲＣ  Ｃｏｎｎｅｃｔｉｏｎ  Ｒｅｑｕｅｓｔ」を拒絶する。
【００５４】
（本発明の第１の実施形態に係る移動通信システムの作用・効果）
本発明の第１の実施形態に係る移動通信システムによれば、上述のケース１において、移動局ＵＥに対する発信規制が行われている場合であっても、無線基地局ＤｅＮＢが、移動局ＵＥによって送信された「ＲＲＣ  Ｃｏｎｎｅｃｔｉｏｎ  Ｒｅｑｕｅｓｔ」を、規制制御に基づき、受け付ける若しくは拒絶しつつ、リレーノードＲＮによって送信された「ＲＲＣ  Ｃｏｎｎｅｃｔｉｏｎ  Ｒｅｑｕｅｓｔ」を確実に受け付けて、無線基地局ＤｅＮＢとリレーノードＲＮとの間のＲＲＣコネクションを確立することができる。
【００５５】
また、本発明の第１の実施形態に係る移動通信システムによれば、上述のケース２において、リレーノードＲＮが、無線基地局ＤｅＮＢと勘違いしている場合であっても、他のリレーノードＲＮが、リレーノードＲＮによって送信された「ＲＲＣ  Ｃｏｎｎｅｃｔｉｏｎ  Ｒｅｑｕｅｓｔ」を拒絶するように構成されているため、リレーノードＲＮのマルチホップを確実に回避することができる。
【００５６】
以上に述べた本実施形態の特徴は、以下のように表現されていてもよい。
【００５７】
本実施形態の第１の特徴は、移動通信方法であって、無線基地局ＤｅＮＢが、無線基地局ＤｅＮＢとの間のＲＲＣコネクション（コネクション）の設定を要求するための「ＲＲＣ  Ｃｏｎｎｅｃｔｉｏｎ  Ｒｅｑｕｅｓｔ（コネクション設定要求信号）」の送信元についての判定を行う工程Ａと、無線基地局ＤｅＮＢが、送信元がリレーノードである「ＲＲＣ  Ｃｏｎｎｅｃｔｉｏｎ  Ｒｅｑｕｅｓｔ」を受け付け、送信元が移動局である「ＲＲＣ  Ｃｏｎｎｅｃｔｉｏｎ  Ｒｅｑｕｅｓｔ」を、規制制御に基づき、受け付ける若しくは拒絶する工程Ｂとを有することを要旨とする。
【００５８】
本実施形態の第１の特徴において、工程Ａにおいて、無線基地局ＤｅＮＢは、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、上述の判定を行ってもよい。
【００５９】
本実施形態の第１の特徴において、工程Ａにおいて、無線基地局ＤｅＮＢは、「ＲＲＣ  Ｃｏｎｎｅｃｔｉｏｎ  Ｒｅｑｕｅｓｔ」内に設定されている所定フラグに基づいて、上述の判定を行ってもよい。
【００６０】
本実施形態の第２の特徴は、移動通信方法であって、無線基地局ＤｅＮＢが、受信した「ＲＲＣ  Ｃｏｎｎｅｃｔｉｏｎ  Ｒｅｑｕｅｓｔ」の送信元についての判定を行う工程Ａと、無線基地局ＤｅＮＢが、送信元がリレーノードである「ＲＲＣ  Ｃｏｎｎｅｃｔｉｏｎ  Ｒｅｑｕｅｓｔ」を受け付ける工程Ｂと、リレーノードＲＮが、受信した「ＲＲＣ  Ｃｏｎｎｅｃｔｉｏｎ  Ｒｅｑｕｅｓｔ」の送信元についての判定を行う工程Ｃと、リレーノードＲＮが、送信元がリレーノードである「ＲＲＣ  Ｃｏｎｎｅｃｔｉｏｎ  Ｒｅｑｕｅｓｔ」を拒絶する工程Ｄとを有することを要旨とする。
【００６１】
本実施形態の第２の特徴において、工程Ａ及び工程Ｃにおいて、無線基地局ＤｅＮＢ及びリレーノードＲＮは、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、上述の判定を行ってもよい。
【００６２】
本実施形態の第２の特徴において、工程Ａ及び工程Ｃにおいて、無線基地局ＤｅＮＢ及びリレーノードＲＮは、「ＲＲＣ  Ｃｏｎｎｅｃｔｉｏｎ  Ｒｅｑｕｅｓｔ」内に設定されている所定フラグに基づいて、上述の判定を行ってもよい。
【００６３】
本実施形態の第３の特徴は、無線基地局ＤｅＮＢであって、受信した「ＲＲＣ  Ｃｏｎｎｅｃｔｉｏｎ  Ｒｅｑｕｅｓｔ」の送信元についての判定を行うように構成されている受付制御部２２を具備し、受付制御部２２は、送信元がリレーノードである「ＲＲＣ  Ｃｏｎｎｅｃｔｉｏｎ  Ｒｅｑｕｅｓｔ」を受け付け、送信元が移動局である「ＲＲＣ  Ｃｏｎｎｅｃｔｉｏｎ  Ｒｅｑｕｅｓｔ」を、規制制御に基づき、受け付ける若しくは拒絶するように構成されていることを要旨とする。
【００６４】
本実施形態の第３の特徴において、受付制御部２２は、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、上述の判定を行うように構成されていてもよい。
【００６５】
本実施形態の第３の特徴において、受付制御部２２は、「ＲＲＣ  Ｃｏｎｎｅｃｔｉｏｎ  Ｒｅｑｕｅｓｔ」内に設定されている所定フラグに基づいて、上述の判定を行うように構成されていてもよい。
【００６６】
本実施形態の第４の特徴は、リレーノードＲＮであって、「ＲＲＣ  Ｃｏｎｎｅｃｔｉｏｎ  Ｒｅｑｕｅｓｔ」の送信元についての判定を行うように構成されている受付制御部１２を具備し、受付制御部１２は、送信元がリレーノードである「ＲＲＣ  Ｃｏｎｎｅｃｔｉｏｎ  Ｒｅｑｕｅｓｔ」を拒絶するように構成されていることを要旨とする。
【００６７】
本実施形態の第４の特徴において、受付制御部１２は、「ＲＲＣ  Ｃｏｎｎｅｃｔｉｏｎ  Ｒｅｑｕｅｓｔ」内の情報要素「ＥｓｔａｂｌｉｓｈｍｅｎｔＣａｕｓｅ」に設定されている内容に基づいて、上述の判定を行うように構成されていてもよい。
【００６８】
本実施形態の第４の特徴において、受付制御部１２は、「ＲＲＣ  Ｃｏｎｎｅｃｔｉｏｎ  Ｒｅｑｕｅｓｔ」内に設定されている所定フラグに基づいて、上述の判定を行うように構成されていてもよい。
【００６９】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７３】
ＲＮ…リレーノード
ＤｅＮＢ…無線基地局
１１、２１…受信部
１２、２２…受付制御部
１３、２３…送信部
【図１】
2011004375.tif 000003
【図２】
2011004375.tif 000004
【図３】
2011004375.tif 000005
【図４】
2011004375.tif 000006
【図５】
2011004375.tif 000007
【図６】
2011004375.tif 000008
【図７】
2011004375.tif 000009
【図８】
2011004375.tif 000010